(57)【特許請求の範囲】
【請求項１】
針糸ループを捕捉する剣先を有する外釜と、
針糸導入端と針糸導出端を有すると共にこの針糸導入端と針糸導出端の間に円弧状に形成され、且つ前記外釜に捕捉された針糸とループが接触しながら移動する内釜レース糸渡り部を有する内釜と、
内釜に支持されるボビンケースと、
前記外釜と前記内釜レース糸渡り部の間に形成される糸渡り溝と、を備え、
前記剣先に捕捉された針糸ループが前記糸渡り溝を通って内釜及びボビンケースをくぐり抜けるＤＰ釜において、
糸が通る隙間を大きくするために、前記内釜レース糸渡り部の円弧の半径中心を、前記内釜中心に対してレース糸渡り部から遠い側に偏寄させると共に、
前記針糸導入端と内釜中心との間の距離を前記針糸導出端と内釜中心との間の距離より短くし、前記内釜レース糸渡り部の円弧の半径を、前記針糸導出端と内釜中心との間の距離よりも大きくし、
前記ボビンケースの前記内釜レース糸渡り部に対応する部分の外周を前記内釜レース糸渡り部と同じ形状としたことを特徴とするミシンのＤＰ釜。
【請求項２】
針糸ループを捕捉する剣先を有する外釜と、
針糸導入端と針糸導出端を有すると共にこの針糸導入端と針糸導出端の間に円弧状に形成され、且つ前記外釜に捕捉された針糸とループが接触しながら移動する内釜レース糸渡り部を有する内釜と、
内釜に支持されるボビンケースと、
前記外釜と前記内釜レース糸渡り部の間に形成される糸渡り溝と、を備え、
前記剣先に捕捉された針糸ループが前記糸渡り溝を通って内釜及びボビンケースをくぐり抜けるＤＰ釜において、
糸が通る隙間を大きくするために、前記内釜レース糸渡り部の円弧の半径中心を、前記内釜中心に対してレース糸渡り部から遠い側に偏寄させると共に、
前記針糸導入端と内釜中心との間の距離を前記針糸導出端と内釜中心との間の距離より短くし、前記内釜レース糸渡り部の円弧の半径を、前記針糸導出端と内釜中心との間の距離よりも大きくし、
前記ボビンケースの前記内釜レース糸渡り部に対応する部分の外周を前記内釜レース糸渡り部から延出しないように内釜中心を中心とする円弧で形成したことを特徴とするミシンのＤＰ釜。
【発明の詳細な説明】
【０００１】
【発明の属する技術分野】
本発明はミシンの垂直全回転釜に係り、特に、ミシンのＤＰ釜の内釜及びボビンケースの形状の改良に関する。
【０００２】
【従来の技術】
従来例によるＤＰ釜（針落ち位置とボビンの下針糸導出点との間に外釜の剣先が位置する釜）は、図７〜９に示すように外釜２、外釜２に支持される内釜４、内釜４に支持されるボビンケース６から構成されている。外釜２には裏板２ａ、内釜押え２ｂがそれぞれ固定されている。
【０００３】
内釜４はその円周部にレース部４ａが設けられ、このレース部４ａは外釜２のレース溝２ｄと嵌合する。レース部４ａはその一部を切り欠いて内釜レース糸渡り部４ｂを形成している。この内釜レース糸渡り部４ｂの左右両端は針糸導入端４ｂ１及び針糸導出端４ｂ２となっている。レース糸渡り部４ｂは内釜４の中心４ｃを中心とした半径Ｒ１の円弧で形成されている。従って、内釜中心４ｃから針糸導入端４ｂ１までの距離Ｌ１及び内釜中心４ｃから針糸導出端４ｂ２までの距離Ｌ２はいずれもＲ１である。Ｒ１はレース部４ａの外周の半径よりも小さい。
【０００４】
ボビンケース６の内釜レース糸渡り部４ｂに対応する部分６ａも内釜レース糸渡り部４ｂと同じ形状とされている。すなわち、内釜レース糸渡り部４ｂに対応する部分６ａの外周は内釜４の中心４ｃを中心とした半径Ｒ１の円弧で形成されている。
【０００５】
図１０及び１１に示すように、内釜４は、レース糸渡り部４ｂが上方に位置するように固定される。針板８の上に被縫製物１０を載置し、図示しないミシン主軸を回転させると、針１２の上下動及び外釜２のＡ方向への回転により、剣先２ｃに捕捉された針糸１４は、内釜４及びボビンケース６の周囲を回るが、この時、針糸１４は内釜４と外釜２の内釜押え２ｂとの間の隙間１６を通り、内釜レース糸渡り部４ｂと接触しながら針糸導入端４ｂ１側から針糸導出端４ｂ２側へ移動する。
【０００６】
【発明が解決しようとする課題】
ＤＰ釜の構造上、ボビンケース６はその厚さ６Ｄを大きくすることができないため、可能な限り径方向に大きくすることにより内部に収納されるボビンの糸量を増やしている。このため、内釜レース糸渡り部４ｂと外釜２（内釜押え２ｂ）との間の針糸１４が通る隙間（糸渡り溝）１６が狭くなり（例えば約０．６ｍｍ）、針糸１４の屈曲抵抗が大きくなるので、太い糸や摩擦抵抗の大きい糸では糸がスムースに渡らないという現象が発生し、時として糸切れやルーピング等の縫い不良が発生することがある。
【０００７】
本発明の目的は、ボビンの糸量を減らすことなく、内釜レース糸渡り部と内釜押えとの間の針糸が通る隙間（糸渡り溝）を広くすることがでできるミシンのＤＰ釜を提供することにある。
【０００８】
【課題を解決するための手段】
前記目的を達成するため、請求項１又は２記載の発明によれば、針糸ループを捕捉する剣先を有する外釜と、針糸導入端と針糸導出端を有すると共にこの針糸導入端と針糸導出端の間に円弧状に形成され、且つ前記外釜に捕捉された針委とループが接触しながら移動する内釜レース糸渡り部を有する内釜と、内釜に支持されるボビンケースと、前記外釜と前記内釜レース糸渡り部の間に形成される糸渡り溝と、を備え、前記剣先に捕捉された針糸ループが前記糸渡り溝を通って内釜及びボビンケースをくぐり抜けるＤＰ釜において、糸が通る隙間を大きくするために、前記内釜レース糸渡り部の円弧の半径中心を、前記内釜中心に対してレース糸渡り部から遠い側に偏寄させると共に、前記針糸導入端と内釜中心との間の距離を前記針糸導出端と内釜中心との間の距離より短くし、前記内釜レース糸渡り部の円弧の半径を、前記針糸導出端と内釜中心との間の距離よりも大きくする。
【００１１】
また、請求項１記載の発明は、前記ボビンケースの前記内釜レース糸渡り部に対応する部分の外周を前記内釜レース糸渡り部と同じ形状とすることが好ましい。
【００１２】
また、請求項２記載の発明は、前記ボビンケースの前記内釜レース糸渡り部に対応する部分の外周を前記内釜レース糸渡り部から延出しないように内釜中心を中心とする円弧で形成することができる。
【００１３】
【発明の実施の形態】
以下、図面に基づいて本発明のＤＰ釜の実施の形態を説明する。
【００１４】
図１〜３に第１の実施の形態によるＤＰ釜を示す。このＤＰ釜は、従来例と同様に外釜２、外釜２に固定された裏板２ａ、同じく外釜２に固定された内釜押え２ｂ、外釜２に支持される内釜４、内釜４に支持されるボビンケース６から構成されている。内釜４はその円周部に合成樹脂製のレース部４ａが設けられ、このレース部４ａは外釜２のレース溝２ｄと嵌合する。レース部４ａはその一部を切り欠いて内釜レース糸渡り部４ｂを形成している。このレース糸渡り部４ｂは、その両端に針糸導入端４ｂ１と針糸導出端４ｂ２を有する。なお、レース糸渡り部４ｂは鋼鉄製としてもよいが、合成樹脂製とした場合には容易に成形加工を行うことができるので、本発明の適用には好適である。
【００１５】
本実施の形態においては、内釜４のレース糸渡り部４ｂの円弧の形状及び、レース糸渡り部４ｂに対応するボビンケース６の部分６ａの外形の形状が従来例と異なる。すなわち、内釜レース糸渡り部４ｂの針糸導入端４ｂ１及び針糸導出端４ｂ２の位置は従来例と同位置であり、それぞれの位置と内釜中心４ｃとの間の距離はＬ１及びＬ２（従来例によるレース糸渡り部４ｂの円弧の半径をＲ１とすると、Ｌ１＝Ｌ２＝Ｒ１）であるが、レース糸渡り部４ｂの円弧の中心が、内釜中心４ｃに対して内釜レース糸渡り部４ｂから遠い側（図の下方側）に偏寄している。従って、本実施の形態によるレース糸渡り部４ｂの円弧の半径をＲ２とすると、Ｒ２＞Ｌ１＝Ｌ２＝Ｒ１となる。また、ボビンケース６の、内釜レース渡り部４ｂに対応する部分６ａの外周もレース糸渡り部４ｂと同じ円弧を持つ形状とされている。
【００１６】
本実施の形態によれば、ボビンケース６の径方向サイズを小さくすることなく、内釜レース糸渡り部４ｂと内釜押え２ｂとの間の針糸が通る隙間（糸渡り溝）１６を従来の釜に比べて大きくすることができる。従って、針糸の屈曲抵抗が減少し、スムース内と渡りを実現し、糸切れやルーピングを防止することができる。
【００１７】
図４，５に第２の実施の形態によるＤＰ釜を示す。このＤＰ釜が第１の実施の形態と異なるのは、内釜中心４ｃから内釜レース糸渡り部４ｂの針糸導入端４ｂ１までの距離Ｌ３を従来より短くし、内釜中心４ｃから針糸導出端４ｂ２までの距離Ｌ４は従来例と同様にＲ１とし、内釜レース糸渡り部４ｂの円弧の中心を内釜中心４ｃに対して内釜レース糸渡り部４ｂから遠い側（図の下方側）に偏寄させている。そして本実施の形態によるレース糸渡り部４ｂの円弧の半径をＲ３とすると、Ｒ３＞Ｌ４＝Ｒ１＞Ｌ３とされている。また、レース糸渡り部４ｂに対応するボビンケース６の部分６ａの外周もレース糸渡り部４ｂと同じ円弧を持つ形状とされている。
【００１８】
本実施の形態によれば、第１の実施の形態と同様にボビンケース６の径方向サイズを小さくすることなく、内釜レース糸渡り部４ｂと内釜押え２ｂとの間の糸が通る隙間１６を従来の釜に比べて大きくすることができるので、糸渡りがスムースになる。更に本実施の形態の場合には、針糸導入端４ｂ１側の隙間１６が広くなるので、針糸導入時の噛み込み等による縫い不良が防止される。
【００１９】
図６に第３の実施の形態によるＤＰ釜を示す。このＤＰ釜の内釜４は第２の実施の形態と同じ構造であるので、その説明を省略する。内釜レース糸渡り部４ｂに対応するボビンケース６の部分６ａの外周は、内釜レース糸渡り部４ｂの形状に対して延出して凸状とならないような大きさで内釜中心４ｃ（ボビンケース６の中心でもある。）に中心を持つ円弧形状とされている。
【００２０】
本実施の形態によれば、第２の実施の形態と同様の効果に加え、ボビンケース６の内釜レース糸渡り部４ｂと対応する部分６ａの外形の中心がボビンケース６の中心であるので、成形加工が容易となり、コストダウンの効果がある。
【００２１】
以上、本発明を図面に示した実施の形態に基づいて説明したが、本発明はこれらの実施の形態には限定されず、種々変形可能である。例えば、第３の実施の形態の内釜４は第２の実施の形態と同じ構造としたが、第１の実施の形態の内釜と同じ構造とし、内釜レース糸渡り部４ｂに対応するボビンケース６の部分６ａの外周を、内釜レース糸渡り部４ｂの形状に対して延出して凸状とならないような大きさで内釜中心４ｃに中心を持つ円弧形状とすることができる。
【００２２】
【発明の効果】
本発明によれば、針糸ループを捕捉する剣先を有する外釜と、針糸導入端と針糸導出端を有すると共にこの針糸導入端と針糸導出端の間に円弧状に形成された内釜レース糸渡り部を有する内釜と、内釜に支持されるボビンケースと、外釜と内釜レース糸渡り部の間に形成される糸渡り溝と、を備え、剣先に捕捉された針糸ループが糸渡り溝を通って内釜及びボビンケースをくぐり抜けるＤＰ釜において、内釜レース糸渡り部の円弧の半径中心を、内釜中心に対してレース糸渡り部から遠い側に偏寄させることにより、糸渡り溝を従来よりも広くすることが可能となり、糸の屈曲抵抗が減少し、スムースに糸渡りを実現し、糸切れやルーピングを防止することができる。
【００２４】
更に、針糸導入端側の糸渡り溝が広くなるので、針糸導入時の噛み込み等による縫い不良が防止される。
【００２５】
ボビンケースの内釜レース糸渡り部に対応する部分の外周を内釜レース糸渡り部と同じ形状とした場合には、従来例に比較してボビンの径方向サイズを小さくすることなく、糸渡り溝を従来よりも広くすることができる。従って、下糸量を減らさずに、糸の屈曲抵抗を減少し、スムースに糸渡りを実現し、糸切れやルーピングを防止することができる。
【００２６】
ボビンケースの内釜レース糸渡り部に対応する部分の外周を内釜レース糸渡り部から延出しないように内釜中心を中心とする円弧で形成した場合には、従来例に比較してボビンの径方向サイズを小さくすることなく、糸渡り溝を従来よりも広くすることができる。従って、下糸量を減らさずに、糸の屈曲抵抗を減少し、スムースに糸渡りを実現し、糸切れやルーピングを防止することができる。更に、内釜レース糸渡り部に対応する部分の外周を内釜レース糸渡り部と同じ形状とした場合に比べると、ボビンケースの加工が容易である。
【図面の簡単な説明】
【図１】  本発明の第１の実施の形態によるＤＰ釜を示し、（Ａ）は内釜の裏面図、（Ｂ）は内釜及びボビンケースの平面図である。
【図２】  第１の実施の形態によるＤＰ釜を示し、（Ａ）は全体の平面図、（Ｂ）は（Ａ）の一部を拡大した平面図である。
【図３】  第１の実施の形態によるＤＰ釜を示し、（Ａ）は図２（Ａ）のIII−III断面側面図、（Ｂ）は（Ａ）の一部を拡大した断面側面図である。
【図４】  本発明の第２の実施の形態によるＤＰ釜を示し、（Ａ）は内釜の裏面図、（Ｂ）は内釜及びボビンケースの平面図である。
【図５】  第２の実施の形態によるＤＰ釜を示し、（Ａ）は全体の平面図、（Ｂ）は（Ａ）の一部を拡大した平面図である。
【図６】  本発明の第３の実施の形態によるＤＰ釜の平面図である。
【図７】  従来のＤＰ釜を示し、（Ａ）は全体の平面図、（Ｂ）は（Ａ）のＢ−Ｂ側面図である。
【図８】  従来のＤＰ釜を示し、（Ａ）は内釜及びボビンケースの平面図、（Ｂ）は内釜の平面図である。
【図９】    従来のＤＰ釜の内釜の裏面図である。
【図１０】  従来のＤＰ釜を示し、（Ａ）は針糸が中釜及びボビンケースの周囲を回る様子を示す平面図、（Ｂ）は（Ａ）のＢ−Ｂ断面側面図である。
【図１１】  図１０（Ｂ）の一部を拡大した断面側面図である。
【符号の説明】
２  外釜
４  内釜
４ｃ  内釜中心
４ｂ  内釜レース糸渡り部
４ｂ１  針糸導入端
４ｂ２  針糸導出端
６  ボビンケース
６ａ  内釜レース糸渡り部に対応するボビンケースの部分
１４  針糸
１６  隙間（糸渡り溝）
【図１】
0004564163.tif 000002
【図２】
0004564163.tif 000003
【図３】
0004564163.tif 000004
【図４】
0004564163.tif 000005
【図５】
0004564163.tif 000006
【図６】
0004564163.tif 000007
【図７】
0004564163.tif 000008
【図８】
0004564163.tif 000009
【図９】
0004564163.tif 000010
【図１０】
0004564163.tif 000011
【図１１】
0004564163.tif 000012